(57)【特許請求の範囲】
【請求項１】
プロセッサと、
該プロセッサに結合された入力装置と、
該プロセッサに結合された証明書出力装置と、
該プロセッサに結合された通信インターフェースと、
該プロセッサに結合され、プログラムが格納された記憶装置と
を有し、該プログラムは該プロセッサに対し、
該入力装置からのシングル証明指示入力に応答して、該入力装置から入力された個人識別情報に対応する個人識別データを、該通信インターフェースを介して、シングル又はカップルであることを示す個人情報が格納されたデータベースの該個人情報を参照して受信した個人識別データがカップル構成員であるか否かを判定しその結果を返すデータベースサーバへ送信し、該データベースサーバからの結果がカップル構成員でないことを示している場合には、該証明を受けようとする個人がシングルであることを証明する証明書を該証明書出力装置に作成させ、
該プロセッサに結合された電子カメラをさらに有し、
該入力装置は、該電子カメラの視野内に配置された指紋センサと、決定スイッチ手段とを有し、
該プログラムは該プロセッサに対し、該決定スイッチ手段のオンに応答して、該電子カメラで被写体を撮像させ、該指紋センサに指紋を読み取らせ、該指紋の特徴量を該個人識別データとして該サーバに送信させ、
該シングルであることを証明する証明書には、該電子カメラで撮像された写真が含まれ、
該シングルであることを証明する証明書は、記録媒体を備え、
該証明書出力装置は、該情報記録媒体にデータを書き込む書込手段を備え、
該プログラムは該プロセッサに対し、該データベースサーバからの結果がカップル構成員でないことを示している場合には、該記録媒体に該個人識別データを書き込ませ、
該入力装置は、該記録媒体に記録されたデータを読み出すデータ読出手段を備え、
該プログラムは該プロセッサに対し、
該入力装置からのカップル証明指示入力に応答して、カップルの各々につき該データ読出手段を介し該記録媒体からデータを読み出させて該データベースサーバへ送信させ、該データベースサーバからの結果が、該カップルの両方ともカップル構成員でないことを示している場合には、カップルであることを証明する証明書を該証明書出力装置に作成させる、
ことを特徴とするシングル・カップル証明装置。
【請求項２】
請求項１に記載のシングル・カップル証明装置と、
シングル・カップル証明用データベースサーバと
を有するシングル・カップル証明システムであって、該シングル・カップル証明用データベースサーバは、
プロセッサと、
該プロセッサに結合された通信インターフェースと、
該プロセッサに結合され、プログラムが格納され、個人識別データとシングル又はカップルであるか否かの情報とカップルである場合にはその相手を示す情報とが対応付けられたデータベースが格納された記憶装置と
を有し、該プログラムは該プロセッサに対し、
クライアントから受信した個人識別データ及びシングル登録指示に応答して、該個人識別データを該データベース内の個人識別データと照合させて、カップル登録された個人識別データとの一致有無の結果を該クライアントに返させ、該結果が一致無しを示している場合には、該個人識別データをシングルを示す情報と対応させて該データベースに追加させることによりシングル登録させる、
ことを特徴とするシングル・カップル証明システム。
【請求項３】
該シングル・カップル証明用データベースサーバの該プログラムは該シングル・カップル証明用データベースサーバの該プロセッサに対し、
クライアントから受信した２人の個人識別データ及びカップル登録指示に応答して、該２人のいずれも該データベースにシングル登録されているか否かを調べ、該２人のいずれも該データベースにシングル登録されていると判定した場合には、該データベース上で該２人の個人識別データを関連付けることによりシングル登録からカップル登録に変更する、
ことを特徴とする請求項２に記載のシングル・カップル証明システム。
【発明の詳細な説明】
【技術分野】
【０００１】
本発明は、交際相手がいないことを証明し又はお互いが唯一の交際相手であることを証明するシングル・カップル証明装置及びシングル・カップル証明用データベースサーバに関する。
【背景技術】
【０００２】
婚姻制度によれば、戸籍簿を管理することにより重婚を禁止できるので、お互いが唯一の相手であることを証明することができる。
【発明の開示】
【発明が解決しようとする課題】
【０００３】
しかし、未婚者が法律上の制限を受けずにお互いが唯一の相手であることを証明することにより、交際中の相手に対し安心感を与えるシステムが存在しない。
【０００４】
また、交際相手がいないことを証明することにより、交際しようとしている相手又は交際中の相手に対し安心感を与えるシステムが存在しない。
【０００５】
本来、交際中のカップルはお互いにとって唯一の存在であることが望ましいが、通信技術の進歩、インターネットの普及などにより、人間関係の複雑化、多様化が進むとともに関係が希薄になり、健全な交際活動が困難になってきている。また、日本では同性愛者による婚姻が認められていないため、同性愛者が第三者に対してその関係を証明する手段がない。
【０００６】
本発明の目的は、このような問題点に鑑み、バイオメトリクス認証等の個人識別技術及びＩＴ技術を用いてシングル証明することにより交際しようとしている相手又は交際中の相手に対し安心感を与え、また、２つのシングル証明を用いて容易にカップル証明することが可能なシングル・カップル証明装置及びシングル・カップル証明用データベースサーバを提供することにある。
【課題を解決するための手段】
【０００７】
本発明によるシングル・カップル証明装置の第１態様では、
プロセッサと、
該プロセッサに結合された入力装置と、
該プロセッサに結合された証明書出力装置と、
該プロセッサに結合された通信インターフェースと、
該プロセッサに結合され、プログラムが格納された記憶装置と
を有し、該プログラムは該プロセッサに対し、
該入力装置からのシングル証明指示入力に応答して、該入力装置から入力された個人識別情報に対応する個人識別データ、例えば指紋自体又は該指紋に対応する指紋特徴量のデータを、該通信インターフェースを介して、シングル又はカップルであることを示す個人情報が格納されたデータベースの該個人情報を参照して受信した個人識別データがカップル構成員であるか否かを判定しその結果を返すデータベースサーバへ送信し、該データベースサーバからの結果がカップル構成員でないことを示している場合には、該証明を受けようとする個人がシングルであることを証明する証明書を該証明書出力装置に作成させる。
【０００８】
本発明によるシングル・カップル証明装置の第２態様では、第１態様において、
該プロセッサに結合された電子カメラをさらに有し、
該入力装置は、該電子カメラの視野内に配置された指紋センサと、決定スイッチ手段とを有し、
該プログラムは該プロセッサに対し、該決定スイッチ手段のオンに応答して、該電子カメラで被写体を撮像させ、該指紋センサに指紋を読み取らせ、該指紋の特徴量を該個人識別データとして該サーバに送信させ、
該シングルであることを証明する証明書には、該電子カメラで撮像された写真が含まれる。
【０００９】
本発明によるシングル・カップル証明装置の第３態様では、第２態様において、
該シングルであることを証明する証明書は、記録媒体を備え、
該証明書出力装置は、該情報記録媒体にデータを書き込む書込手段を備え、
該プログラムは該プロセッサに対し、該データベースサーバからの結果がカップル構成員でないことを示している場合には、該記録媒体に該個人識別データを書き込ませる。
【００１０】
本発明によるシングル・カップル証明装置の第４態様では、第３態様において、
該入力装置は、該記録媒体に記録されたデータを読み出すデータ読出手段を備え、
該プログラムは該プロセッサに対し、
該入力装置からのカップル証明指示入力に応答して、カップルの各々につき該データ読出手段を介し該記録媒体からデータを読み出させて該データベースサーバへ送信させ、該データベースサーバからの結果が、該カップルの両方ともカップル構成員でないことを示している場合には、カップルであることを証明する証明書を該証明書出力装置に作成させる。
【００１１】
本発明によるシングル・カップル証明装置の第5態様では、第１態様において、
該シングル・カップル証明装置はクライアントが所有する携帯端末やＰＤＡ等の携帯端末であり、有線でインターネットに接続されたパーソナルコンピュータ以外の端末装置である。
該端末装置は、
プロセッサと、     
該プロセッサに結合された入力装置と、
該プロセッサに結合された証明書表示装置と、
該プロセッサに結合された通信インターフェースと、
該プロセッサに結合され、プログラム及び該端末装置自体を識別する個体識別符号に係るデータが記された端末固体識別情報が格納された記憶装置と
を有し、該プログラムは該プロセッサに対し、
該入力装置からのシングル証明指示入力に応答して、該端末固体識別情報を、該通信インターフェースを介して、シングル又はカップルであることを示す個人情報が格納されたデータベース内の端末固体識別情報を参照して受信した該端末固体識別情報がカップル構成員であるか否かを判定しその結果を返す該データベースサーバへ送信し、該データベースサーバからの結果がカップル構成員でないことを示している場合には、該証明を受けようとする個人がシングルであることを証明する証明書及び該個人情報と対応する個人ＩＤを該証明書表示装置に表示させる。
【００１２】
本発明によるシングル・カップル証明装置の第６態様では、第５態様において、
該プログラムは該プロセッサに対し、
該プログラムは該プロセッサに対し、該個人情報と対応する個人ＩＤも該表示装置に表示させる。
【００１３】
本発明によるシングル・カップル証明装置の第７態様では、第６態様において、
該プログラムは該プロセッサに対し、
該入力装置から入力された、カップル証明を希望する相手の個人ＩＤ及びカップル証明指示に応答して、該カップル証明を希望する相手の個人ＩＤ及び端末固体識別情報を該データベースサーバへ送信させ、該データベースサーバからの結果が、該端末固体識別情報及び該相手の個人ＩＤに対応するデータがいずれもカップル構成員でないことを示し且つ該相手の個人ＩＤと対応する端末固体識別情報を有する端末装置からもカップル証明指示を受信したことを示している場合には、カップルであることを証明する証明書を該表示装置に表示させる。
【００１４】
本発明によるシングル・カップル証明用データベースサーバの第１態様では、
プロセッサと、
該プロセッサに結合された通信インターフェースと、
該プロセッサに結合され、プログラムが格納され、個人識別データとシングル又はカップルであるか否かの情報とカップルである場合にはその相手を示す情報とが対応付けられたデータベースが格納された記憶装置と
を有し、該プログラムは該プロセッサに対し、
クライアントから受信した個人識別データ及びシングル登録指示に応答して、該個人識別データを該データベース内の個人識別データと照合させて、カップル登録された個人識別データとの一致有無の結果を該クライアントに返させ、該結果が一致無しを示している場合には、該個人識別データをシングルを示す情報と対応させて該データベースに追加させることによりシングル登録させる。
【００１５】
本発明によるシングル・カップル証明用データベースサーバの第２態様では、前記第１態様において、
該プログラムは該プロセッサに対し、
クライアントから受信した２人の個人識別データ及びカップル登録指示に応答して、該２人のいずれも該データベースにシングル登録されているか否かを調べ、該２人のいずれも該データベースにシングル登録されていると判定した場合には、該データベース上で該２人の個人識別データを関連付けることによりシングル登録からカップル登録に変更する。
【００１６】
本発明によるシングル・カップル証明用データベースサーバの第３態様では、前記第１態様において、
プロセッサと、
該プロセッサに結合された通信インターフェースと、
該プロセッサに結合され、プログラムと、端末装置識別情報とシングル又はカップルであるか否かの情報とカップルである場合にはその相手を示す情報とが対応付けられたデータベースとが格納された記憶装置と
を有し、該プログラムは該プロセッサに対し、
クライアントから受信した端末固体識別情報及びシングル登録指示に応答して、該端末固体識別情報を該データベース内の端末固体識別情報と照合させて、カップル登録された端末固体識別情報との一致有無の結果を該クライアントに返させるとともに、該結果が一致無しを示している場合には、該クライアントから受信した端末固体識別情報をシングルを示す情報と対応させて該データベースに追加させることによりシングル登録させ、該端末固体識別情報を含む個人情報と対応付けられた個人ＩＤを生成し該個人ＩＤを該データベースに追加させる。
本発明によるシングル・カップル証明用データベースサーバの第４態様では、前記第３態様において、
該プログラムは該プロセッサに対し、
クライアントから受信した端末固体識別情報、カップル証明を希望する相手の個人ＩＤ、及びカップル証明指示に応答して、該端末固体識別情報が該データベースにシングル登録されているか否かを調べるとともに、該データベースを参照して、該カップル証明を希望する相手の個人ＩＤと対応するデータが、カップル証明指示を受信したことを示しているか否かを調べ、いずれも肯定判定した場合には、該データベース上で該２人の端末個体識別情報を関連付けることによりシングル登録からカップル登録に変更する
【発明の効果】
【００１７】
上記シングル・カップル証明装置の第１態様の構成によれば、シングル証明指示入力に応答して、入力装置から入力された個人識別情報に対応する個人識別データを、該通信インターフェースを介して、シングル又はカップルであることを示す個人情報が格納されたデータベースの該個人情報を参照して受信した個人識別データがカップル構成員であるか否かを判定しその結果を返すデータベースサーバへ送信し、該データベースサーバからの結果がカップル構成員でないことを示している場合には、該証明を受けようとする個人がシングルであることを証明するので、交際しようとしている相手又は交際中の相手に対し安心感を与えることができる。
【００１８】
上記シングル・カップル証明装置の第２態様の構成によれば、電子カメラの視野内に指紋センサが配置され、決定スイッチ手段のオンに応答して、該電子カメラで被写体を撮像させ、指紋センサに指紋を読み取らせ、該指紋の特徴量を個人識別データとしてサーバに送信させ、シングルであることを証明する証明書には、該電子カメラで撮像された写真が含まれるので、指定された指以外の指紋を採取した場合には証明書にその証拠が残り、意味のないシングル証明カードとなり、カップル登録者がシングル登録するのを防止することができるとともに、シングル証明カードの信頼性が高くなる。
【００１９】
上記シングル・カップル証明装置の第４態様の構成によれば、カップル証明指示入力に応答して、カップルの各々につきデータ読出手段を介し証明書の記録媒体からデータを読み出させてデータベースサーバへ送信させ、該データベースサーバからの結果が、該カップルの両方ともカップル構成員でないことを示している場合には、カップルであることを証明する証明書を該証明書出力装置に作成させるので、容易迅速にカップル証明書を発行することができる。
上記シングル・カップル証明装置の第５、第６及び第７の態様と、シングル・カップル証明用データベースサーバの第３及び第４の態様の構成によれば、登録したカップル各々が所有する端末装置の表示画面にのみ、カップル証明画面が表示される。
該カップル証明画面には、本人の個人情報、恋人の個人情報及び二人がカップルである事を示す文章が、登録したカップル各々が所有する２つの端末装置の表示画面に限定して、表示されるので、お互いが所有する端末装置の表示画面を相互に閲覧する事で、二人がカップル登録されている事を、相互確認する事ができる。
前記方法では、該端末装置の外観などから、登録したカップル構成員本人が所有している端末装置であるとカップル構成員両人が認識している場合に限るが、現在、携帯端末は日常的に使用されるようになった為、交際している恋人の携帯端末を目にする機会は多くあり、前記端末装置の外観などから、恋人が普段所有している端末装置であると認識する事は容易である。
よって、カップル証明を希望する本人の端末装置から登録する事ができ、容易に、安心感やお互いの気持ちの相互確認を行う事が可能である。
更に、本発明を実施する者も、より安価に本サービスを実施する事が可能になる。
さらに、音楽共有サービスは著作権法で禁止されているが、前記証明したカップルが所有する端末間に限定する場合、著作権法第３０条記載の私的使用となるので、音楽共有サービスが可能になる。
【００２０】
本発明の他の目的、構成及び効果は以下の説明から明らかになる。
【実施例１】
【００２１】
図１は、シングル・カップル証明システムの概略ブロック図である。
【００２２】
このシステムは、個人情報の入力に応答して所定要件を満たしていればシングル又はカップルの証明書を発行し又は登録の取消を受け付けるシングル・カップル証明装置１０と、この所定要件を満たしているか否かを判定し満たしていればシングル又はカップルの登録をし又は登録を取り消すデータベースサーバ２０とを備えている。
【００２３】
センターに設置された１つのデータベースサーバ２０に対し、シングル・カップル証明装置１０は各地の店舗、アミューズメントパークまたは施設などに設置されている。
【００２４】
シングル・カップル証明装置１０は、プロセッサ１１にＲＡＭ、ＲＯＭ及びハードディスクが含まれた記憶装置１２と、入出力インターフェース１３と、インターネット３０と結合している通信インターフェースＮＩＣ１とが結合され、前記入出力インターフェース１３に表示装置１４ａと、指紋センサ１４ｂ及び１４ｃと、電子カメラ１４ｄと、十字キー１４ｅと、決定ボタンスイッチ１４ｆと、貨幣処理器１４ｇと、カード発行装置１４ｈと、カード発行装置１４ｈに付設された磁気カードリーダ・ライタとが結合されている。記憶装置１２には、プログラム及びデータが格納される。
【００２５】
前記データベースサーバ２０は、プロセッサ２１にＲＡＭ、ＲＯＭ及びハードディスクを含む記憶装置２２と、インターネット３０と結合している通信インターフェースＮＩＣ２とが結合され、この記憶装置２２のハードディスクにはデータベース２２１が格納されている。データベースサーバ２０はＷｅｂサーバ機能も備えている。記憶装置２２には、プログラム及びデータが格納される。
【００２６】
パーソナルコンピュータ等の端末がサーバ２０に対するクライアント４０としてインターネット３０に接続され、同様に、携帯端末やＰＤＡ等の携帯端末５０もサーバ２０に対するクライアントとしてインターネット３０に接続されている。
【００２７】
図２は、シングル・カップル証明装置１０の概略を示す外観斜視図である。
【００２８】
指紋センサ１４ｂ及び１４ｃはそれぞれ、これらが電子カメラ１４ｄの視野内に入るように、シングル・カップル証明装置１０の操作面中央部に立設されたスティック１４１及び１４２の上端部に取着されている。カード入出口１４ｈ１は、カード発行装置１４ｈとこれに付設された磁気カードリーダ・ライタ１４ｉとで共通のカード出入口である。
【００２９】
シングル登録、カップル登録又はカップル登録取消を希望する人は、シングル・カップル証明装置１０の設置場所に赴き、貨幣処理器１４ｇの料金投入口１４ｇ１に所定の料金を入金する。これにより、貨幣処理器１４ｇから投入料金データが出力されるとともに入出力インターフェース１３を介してプロセッサ１１に割込がかかり、記憶装置１２に格納されたプログラムに従ってプロセッサ１１により、次のような処理が行われる。
【００３０】
すなわち、表示装置１４ａに、シングル登録、カップル登録又はカップル登録取消を選択するメニュー画面が表示される。利用者は十字キー１４ｅを操作して選択肢をポイントし決定ボタンスイッチ１４ｆを押下することにより選択する。選択に応じて投入料金が適正か否かが判定され、適正と判定された場合には、選択に応じた以下の処理が行われる。
【００３１】
図３は、シングル登録におけるシングル・カップル証明装置１０とデータベースサーバ２０との連係処理を示す概略フローチャートである。以下、括弧内は図中の識別符号を示す。
【００３２】
（Ｓ００）表示装置１４ａの画面上で、利用者の名前及び生年月日を入力するように指示する。この画面にはソフトウェアキーボードが表示されており、利用者は十字キー１４ｅを操作してキーをポイントし、決定ボタンスイッチ１４ｆを押下することにより、画面上のキーを擬似的に押下する。
【００３３】
（Ｓ０１）画面上で、指紋センサ１４ｃに親指を載せて決定ボタンスイッチ１４ｆを押下するように指示する。図４は、スティック１４２の上部を把持して指紋センサ１４ｃに親指を載せるときの状態を示す図である。この決定ボタンスイッチ１４ｆの押下に応答して、電子カメラ１４ｄにより被写体が撮像されるとともに、指紋センサ１４ｃにより指紋が読み取られる。図５はこれにより撮影された画像を示しており、利用者がどの指を指紋センサ１４ｃ上に載置したかが証拠として残ることになる。指紋センサ（指紋読取装置）１４ｃは、読み取った指紋の特徴量を抽出した後、入出力インターフェース１３を介しプロセッサ１１に割り込みをかける。プロセッサ１１はその割込処理で、該特徴量を指紋センサ１４ｃから入出力インターフェース１３を介し読み込む。
【００３４】
撮影された画像は表示装置１４ａに表示される。
【００３５】
（Ｓ０２）ステップＳ００で名前及び生年月日が入力され、ステップＳ０１で指紋読み取りと撮影とが行われたことを確認できれば、ステップＳ０３へ進み、そうでなければステップＳ００へ戻る。
【００３６】
（Ｓ０３）十字キー１４ｅと決定ボタンスイッチ１４ｆの操作で、キャンセル指示が入力された場合にはステップＳ００へ戻り、決定指示が入力された場合にはステップＳ０４へ進む。
【００３７】
（Ｓ０４）ステップＳ００で入力された名前及び生年月日と、ステップＳ０１で取得された指紋特徴量とを、シングル登録指示とともにデータベースサーバ２０へ送信する。
【００３８】
（Ｓ１０）データベースサーバ２０はこれに応答して、受信した指紋特徴量と、データベース２２１に格納されている各人の指紋特徴量との類似度をそれぞれ求め、類似度が設定値以上であるか否かを判定する。
【００３９】
（Ｓ１１）類似度が設定値以上のものがあればステップＳ１２へ進み、そうでなければステップＳ１３へ進む。
【００４０】
（Ｓ１２）ＮＧの情報をシングル・カップル証明装置１０へ送信し、シングル登録処理を終了する。
【００４１】
（Ｓ１３）データベース２２１の個人情報テーブルに新規レコードを作成して、ステップＳ１０で受信した名前、生年月日及び指紋特徴量を書き込む。図８は、個人情報テーブルを示す。シングル登録の場合、カップルＩＤのフィールドには、シングルであることを示す値０が記入される。
【００４２】
（Ｓ１４）個人のＩＤとパスワードを生成して、該レコードの対応フィールドに格納するとともに、シングル・カップル証明装置１０へ送信する。
【００４３】
図８のテーブルに記入されていない住所、電子メールアドレス等の個人情報は、図１のクライアント４０又は携帯端末５０を用いて後で記入される。これにより、利用者にとって慣れた操作性のよい装置でデータをテーブルに記入することができる。この場合、本人認証するために前記のＩＤとパスワードとが用いられる。
【００４４】
（Ｓ０５）データベースサーバ２０から受信した情報がＮＧであればステップＳ０６へ進み、そうでなければステップＳ０７へ進む。
【００４５】
（Ｓ０６）投入したコインを返却し、シングル登録処理を終了する。
【００４６】
（Ｓ０７）カード発行装置１４ｈで図６に示すようなシングル証明カード１５を作成し、磁気カードリーダ・ライタ１４ｉでシングル証明カード１５の磁気記録膜１５１に、ステップＳ０１で取得した指紋特徴量及び受信したＩＤを個人識別情報として書き込み、シングル証明カード１５をカード入出口１４ｈ１から排出する。
【００４７】
シングル証明カード１５には、ステップＳ０１で撮影した画像とステップＳ００で入力した氏名及び生年月日とが記入される。画像の下には、「親指で認証」と記載されており、例えば図７に示すように右手の親指以外の指紋を採取してシングル証明カード１５を取得したとしても、その証拠が残るので、意味のないシングル証明カードとなり、カップル登録者がシングル登録するのを防止することができるとともに、シングル証明カード１５の信頼性が高くなる。
【００４８】
図９は、カップル登録におけるシングル・カップル証明装置１０とデータベースサーバ２０との連係処理を示す概略フローチャートである。
【００４９】
（Ｓ２０）表示装置１４ａの画面上で、カップル登録を受けようとする２人のシングル証明カード１５をカード入出口１４ｈ１に挿入するように指示する。カード入出口１４ｈ１はカードを２枚並列に同時挿入可能となっている。この２人は、それぞれのシングル証明カード１５をカード入出口１４ｈ１に挿入する。これに応答して、磁気カードリーダ・ライタ１４ｉにより、磁気記録膜１５１に記録された個人識別情報（指紋特徴量及びＩＤ）が読み取られ、入出力インターフェース１３を介しプロセッサ１１に割り込みがかけられる。プロセッサ１１はその割込処理で、この個人識別情報を記憶装置１２に一時記憶させる。
【００５０】
（Ｓ２１、Ｓ２２）利用者が決定ボタンスイッチ１４ｆを押下すると、ステップＳ２０で入力されたデータが有効であるか否かを判定し、無効であると判定した場合にはステップＳ２０へ戻り、そうでなければステップＳ２３へ進む。ここで無効とは、所定のフォーマットで記録されていないものであって、無関係のカードやデータを読み取れないカードなどを意味する。
【００５１】
（Ｓ２３）電子カメラ１４ｄに被写体を撮像させ、また、記憶装置１２に一時記憶した２人の個人識別情報を、カップル登録指示とともにデータベースサーバ２０へ送信する。
【００５２】
（Ｓ３０）データベースサーバ２０はこれに応答して、データベース２２１の個人情報テーブルを参照して、受信したＩＤと一致するものがシングル登録されており、かつ、受信した指紋特徴量が登録されたものと一致しているか否か、すなわち正規のシングル登録者であるか否かを判定する。
【００５３】
（Ｓ３１）カップル登録しようとする２人のいずれも正規のシングル登録者であると判定した場合にはステップＳ３３へ進み、そうでなければステップＳ３２へ進む。
【００５４】
（Ｓ３２）ＮＧの情報をシングル・カップル証明装置１０へ送信し、カップル登録処理を終了する。
【００５５】
（Ｓ３３）この２人に共通のカップルＩＤを生成し、図１０（Ａ）に示すように、両者のレコードのカップルＩＤフィールドにこれを記入する。また、データベース２２１のカップル情報テーブルに新規レコードを追加し、図１０（Ｂ）に示すように、このレコードにカップルＩＤとカップル登録日とを記入する。カップル情報テーブルはシングル情報テーブルとともに、カップルＩＤを共通フィールドとしてリレーショナルデータベースを構成している。
【００５６】
カップル情報テーブル中のその他の情報については、カップルＩＤとカップルのいずれか一方のパスワードとを用いて、上述の個人情報テーブルの場合と同様に図１のクライアント４０又は携帯端末５０から記入可能となっている。
【００５７】
さらに、カップル構成員は前記同様にしてクライアント４０又は携帯端末５０から認証を行って、カップルＩＤで識別される図１２に示すようなＷｅｂページに書き込みを行ったり閲覧したりすることが可能となっている。
【００５８】
（Ｓ３４）データベースサーバ２０は、カップルＩＤをシングル・カップル証明装置１０へ送信し、また、シングル情報テーブルに記載されたこのカップルの個人情報に基づいて、カップルが登録されたことを示す情報及び前記Ｗｅｂページのアドレス等を記載した電子メールを作成し、カップル構成員のそれぞれに該電子メールを送信し、カップル登録処理を終了する。
【００５９】
（Ｓ２４）データベースサーバ２０からの情報がＮＧであればステップＳ２５へ進み、そうでなければステップＳ２６へ進む。
【００６０】
（Ｓ２５）カップル登録できなかったことを表示装置１４ａの画面に表示させ、カード入出口１４ｈ１から２人のシングル証明カード１５を排出させて、図９の処理を終了する。
【００６１】
（Ｓ２６）シングル証明カード１５が悪用されないようにするために、磁気記録膜１５１にカップル登録されたことを示す情報を記録して無効にするとともに、シングル証明カード１５に×印等を記入し、カード入出口１４ｈ１から２人のシングル証明カード１５を排出する。なお、シングル証明カード１５をシングル・カップル証明装置１０のハウジング内に破棄処分するようにしてもよい。
【００６２】
次に、カード発行装置１４ｈにより図１１に示すようなカップル証明カード１６及び１７を作成して、カード入出口１４ｈ１から排出させる。カップル証明カード１６及び１７には、ステップＳ２３で撮影した写真の画像及びカップルＩＤが記入されている。
【００６３】
このような処理により、容易迅速にカップル登録して、カップル証明書を発行することができるとともに、シングル証明カード１５の悪用を防止し、さらにシングル証明カード１５の信頼性を高めることができる。
【００６４】
図１３は、カップル登録取消受付におけるシングル・カップル証明装置１０とデータベースサーバ２０との連係処理を示す概略フローチャートである。
【００６５】
カップル登録取消受付は、そのカップルのいずれか一方が登録取消処理を行うことにより有効となる。
【００６６】
（Ｓ４０）利用者はカップル証明カード１６又は１７をカード入出口１４ｈ１に挿入する。これに応答して、磁気カードリーダ・ライタ１４ｉにより、磁気記録膜１５１に記録された個人識別情報（指紋特徴量及びＩＤ）が読み取られ、入出力インターフェース１３を介しプロセッサ１１に割り込みがかけられる。プロセッサ１１はその割込処理で、この個人識別情報を記憶装置１２に一時記憶させる。
【００６７】
（Ｓ４１、Ｓ４２）利用者が決定ボタンスイッチ１４ｆを押下すると、ステップＳ４０で入力されたデータが有効であるか否かを判定し、無効であると判定した場合にはステップＳ４０へ戻り、そうでなければステップＳ４３へ進む。ここで無効とは、所定のフォーマットで記録されていないものであって、無関係のカードやデータを読み取れないカードなどを意味する。
【００６８】
（Ｓ４３）記憶装置１２に一時記憶した個人識別データを、カップル登録取消指示とともにデータベースサーバ２０へ送信する。
【００６９】
（Ｓ５０）データベースサーバ２０はこれに応答して、データベース２２１の個人情報テーブルを参照して、受信したＩＤと一致するものがカップル登録されており、かつ、受信した指紋特徴量が登録されたものと一致しているか否か、すなわち正規のカップル登録者の一方であるか否かを判定する。
【００７０】
（Ｓ５１）正規のカップル登録者の一方であると判定した場合にはステップＳ５３へ進み、そうでなければステップＳ５２へ進む。
【００７１】
（Ｓ５２）ＮＧの情報をシングル・カップル証明装置１０へ送信し、カップル登録取消処理を終了する。
【００７２】
（Ｓ５３）カップル登録取消受付完了情報をシングル・カップル証明装置１０へ送信する。
【００７３】
（Ｓ５４）シングル情報テーブルに記載されたこのカップルの個人情報に基づいて、カップルが取り消されたことを示す情報を記載した電子メールを作成し、カップル構成員のそれぞれに該電子メールを送信して、確認させる。
【００７４】
また、カップル情報テーブルの該当レコードのカップル登録取消受付日及び取消者のフィールドにその情報を記入し、この受付処理を終了する。
【００７５】
（Ｓ４４）データベースサーバ２０からの情報がＮＧであればステップＳ４５へ進み、そうでなければステップＳ４６へ進む。
【００７６】
（Ｓ４５）カップル登録取消受付ができなかったことを表示装置１４ａの画面に表示させ、カード入出口１４ｈ１からカップル証明カード１６又は１７を排出させて、図９の処理を終了する。
【００７７】
（Ｓ４６）カップル登録取消受付が完了したことを表示装置１４ａの画面に表示させ、カード入出口１４ｈ１からカップル証明カード１６又は１７を排出させて、図９の処理を終了する。
【００７８】
データベースサーバ２０は毎日１回、カップル登録取消受付日から所定期間が経過したか否かを判定し、経過していれば、そのカップルＩＤに対応した全レコードをシングル情報テーブル及びカップル情報テーブルから削除するとともに、対応する図１２のＷｅｂページを削除する。
【００７９】
インターネット３０の管理者は、この期間内に、何らかの原因でカップル登録取消処理が誤ったものであることを確認した場合には、該当レコードのカップル登録取消受付日及び取消者のフィールドに記入された情報をゼロクリアする。
【００８０】
なお、証明書出力装置として表示装置を用い、該表示装置に証明書の画像又は／及び文章を表示を表示させる構成であってもよい。
【実施例２】
【００８１】
図１４は、シングル・カップル証明システムの概略ブロック図である。
【００８２】
このシステムは、所定要件を満たしていればシングル又はカップルの証明書を表示する又は登録の取消指示をデータベースサーバ７０へ送信すること等を行う携帯端末装置６０と、この所定要件を満たしているか否かを判定し満たしていればシングル又はカップルの登録をし又は登録を取り消すデータベースサーバ７０とを備えている。前記携帯端末装置６０は、携帯端末やＰＤＡ等の携帯端末である。
【００８３】
携帯端末装置６０は、プロセッサ６１にＲＡＭ及びＲＯＭが含まれた記憶装置６２と、入出力インターフェース６３と、インターネット３０と無線又は有線の通信媒体を介し結合している通信インターフェースＮＩＣ３とが結合され、前記入出力インターフェース６３に表示装置６４ａと、操作入力部６４ｂとが結合されている。更に、前記記憶装置６２にはプログラム、及び該携帯端末装置自体を識別する端末固体識別コード６５を含むデータが格納される。
【００８４】
前記データベースサーバ７０は、プロセッサ７１にＲＡＭ、ＲＯＭ及びハードディスクを含む記憶装置７２と、インターネット３０と結合している通信インターフェースＮＩＣ４とが結合され、この記憶装置７２のハードディスクにはデータベース７７１が格納されている。データベースサーバ７０はＷｅｂサーバ機能も備えている。記憶装置７２には、プログラム及びデータベースが格納される。
【００８５】
パーソナルコンピュータ等の端末がサーバ７０に対するクライアント４０としてインターネット３０に接続される、同様に、携帯端末やＰＤＡ等の携帯端末５０もデータベースサーバ７０に対するクライアントとしてインターネット３０に接続されている。
【００８６】
図１５は、シングル登録における携帯端末装置６０とデータベースサーバ７０との連係処理を示す概略フローチャートである。以下、括弧内は図中の識別符号を示す。
【００８７】
（Ｓ６０）シングル登録を希望する人は、該シングル登録を希望する人が所有する携帯端末装置６０から、図１６に示すシングル登録申込受付ページに入室する（を表示させる）。シングル登録申込受付ページは、インターネット３０に接続されたデータベースサーバ７０のＷＥＢページであり、送信ボタン８０とキャンセルボタン８１とがＷｅｂページに貼り付けてある。更に、シングル登録申込受付ページには、送信ボタン８０を押すと、前記携帯端末装置６０が有する端末固体識別コード６５をデータベースサーバ７０に送信させるプログラムが書き込まれている。
【００８８】
（Ｓ６１）シングル登録を希望する人は、操作入力部６４ｂを使い、名前、電子メールアドレス及び生年月日を入力し、ステップＳ６２へ進む。
【００８９】
（Ｓ６２）キャンセルボタン８１を押された場合にはステップＳ６１へ戻り、送信ボタン８０が押された場合にはステップＳ６３へ進む。
【００９０】
（Ｓ６３）ステップＳ６１で入力された名前、電子メールアドレス及び生年月日をデータベース７０に送信する。それとともに、端末固体識別コード６５及びシングル登録指示もデータベース７０に送信する。
【００９１】
（Ｓ６４）データベースサーバ７０はこれに応答して、受信した端末固体識別コード６５と、データベース７７１に格納されている各人の端末固体識別コードと参照し、一致するか否か、すなわち既にシングル登録した者が、重複登録しようとしてないか否かを判定する。
【００９２】
（Ｓ６５）一致すればステップＳ６６へ進み、そうでなければステップＳ６７へ進む。
【００９３】
（Ｓ６６）ＮＧの情報を携帯端末装置６０へ送信し、シングル登録処理を終了する。
【００９４】
（Ｓ６７）データベース７７１の個人情報テーブルに新規レコードを作成してこれに、ステップＳ６４の送信を受信した名前、電子メールアドレス、生年月日、及び端末固体識別コード６５を書き込む。図１７は、個人情報テーブルを示す。シングル登録の場合、カップルＩＤのフィールドには、シングルであることを示す値０が記入される。
【００９５】
（Ｓ６８）個人ＩＤとパスワードを生成して、該レコードの対応フィールドに格納するとともに、携帯端末装置６０へ送信する。
【００９６】
図１７のテーブルに記入されていない住所等の個人情報は、図１４のクライアント４０又は携帯端末５０から受信したデータを用いて後で記入される。この場合、本人認証するために前記の個人ＩＤとパスワードとが用いられる。
【００９７】
図１８は、カップル登録における携帯端末装置６０とデータベースサーバ７０との連係処理を示す概略フローチャートである。
【００９８】
（Ｓ６９）カップル登録を希望する人は、前記シングル登録処理で使用した携帯端末装置６０から、図１９で示すカップル登録申込受付ページに入室する。カップル登録申込受付ページはインターネット３０に接続されたデータベースサーバ７０のＷＥＢページであり、これに、送信ボタン８２とキャンセルボタン８３とが貼り付けてある。更に、カップル登録申込受付ページには、送信ボタン８２を押すと実行される、前記携帯端末装置６０が有する端末固体識別コード６５をデータベースサーバ７０に送信させるプログラムが書き込まれている。
【００９９】
（Ｓ７０）操作入力部６４ｂを使い、カップル登録申込受付ページに、カップル登録を希望する相手の個人ＩＤ及び登録希望者本人の個人ＩＤが入力され、ステップＳ７１へ進む。
【０１００】
（Ｓ７１）キャンセルボタン８３を押された場合にはステップＳ７０へ戻り、送信ボタン８２が押された場合にはステップＳ７２へ進む。
【０１０１】
（Ｓ７２）ステップＳ７０で入力されたカップル登録を希望する相手の個人ＩＤ、及びカップル登録希望者本人の個人ＩＤをデータベースサーバ７０に送信する。それとともに、端末固体識別コード６５及びカップル登録指示もデータベースサーバ７０へ送信する。
【０１０２】
（Ｓ７３）データベースサーバ７０はこれに応答して、データベース７７１の個人情報テーブルを参照して、受信した登録希望者本人の個人ＩＤと一致するものがシングル登録されており、かつ、受信した端末固体識別コード６５が該シングル登録されたものと一致しているか否か、すなわち、正規のカップル登録指示か否かを判定する。
【０１０３】
（Ｓ７４）一致すればステップＳ７６へ進み、そうでなければステップＳ７５へ進む。
【０１０４】
（Ｓ７５）ＮＧの情報を携帯端末装置６０へ送信し、カップル登録処理を終了する。
【０１０５】
（Ｓ７６）ステップＳ７０で入力された情報は、データベース７７１に格納されているカップル登録予約情報テーブルに記入される。このテーブルには、図２０で示すように、カップル登録指示を送信した携帯端末装置６０と対応する個人ＩＤ及び、ステップＳ７０で入力されたカップル登録を希望する相手の個人ＩＤが記入される。その後、カップル登録予約情報テーブルに記入されているカップル登録を希望する相手の個人ＩＤと一致する携帯端末装置６０からも、カップル登録指示が受信されたか否か、すなわち、カップル登録を希望する両人から正規のカップル登録指示が送信されたか否かを判定する。
【０１０６】
（Ｓ７７）カップル登録を希望する両人から正規のカップル登録指示が送信されたと判定されれば、ステップＳ７９へ進み、そうでなければステップＳ７８に進む。
【０１０７】
（Ｓ７８）カップル登録予約情報テーブルには、常に最新のカップル登録指示のみが記入される。つまり、二人以上の相手に対して、カップル登録指示を送信した場合、最後に送信したカップル登録指示以外は無効になる。これにより、一人の相手に対してのみ、カップル登録指示が有効になる。カップル登録予約支持を受け付けた旨を携帯端末装置６０に送信し、カップル登録処理を終了する。
【０１０８】
（Ｓ７９）この２人に共通のカップルＩＤを生成し、図２１（Ａ）に示すように、両者のレコードのカップルＩＤフィールドにこれを記入する。また、データベース７７１のカップル情報テーブルに新規レコードを追加し、図２１（Ｂ）に示すように、このレコードにカップルＩＤとカップル登録日とを記入する。カップル情報テーブルはシングル情報テーブルとともに、カップルＩＤを共通フィールドとしてリレーショナルデータベースを構成している。
さらに、カップル構成員は前記同様にしてクライアント４０又は携帯端末５０から認証を行って、カップルＩＤで識別される図１２に示すようなＷｅｂページに書き込みを行ったり、閲覧したりすることが可能となっている。ステップＳ７６でカップル登録予約情報テーブルに記入された情報は消去される。
【０１０９】
（Ｓ８０）データベースサーバ７０は、カップルＩＤを携帯端末装置６０へ送信し、また、シングル情報テーブルに記載されたこのカップルの個人情報に基づいて、カップルが登録されたことを示す情報及び前記Ｗｅｂページのアドレス等を記載した電子メールを作成し、カップル構成員のそれぞれに該電子メールを送信し、カップル登録処理を終了する。
【０１１０】
カップル登録処理を終えた人（カップル構成員）は、以下ステップ（Ｓ８１〜Ｓ８９）により、カップル登録処理で使用した携帯端末装置６０でのみ、図２２で示すカップル証明画面を表示させることができる。図２３は、カップル証明書表示における携帯端末装置６０とデータベースサーバ７０との連携処理を示すフローチャート図である。
【０１１１】
（Ｓ８１）カップル証明書表示を希望する人は、カップル登録処理で使用した携帯端末６０から、図２４で示すカップル証明書表示受付ページに入室する。カップル証明書表示受付ページは、インターネット３０に接続されたデータベースサーバ７０のＷＥＢページであり、表示ボタン８４が貼り付けてある。更に、カップル証明書表示受付ページには、表示ボタン８４を押すと実行される、前記携帯端末装置６０が有する端末固体識別コード６５をデータベースサーバ７０に送信させるプログラムが書き込まれている。
【０１１２】
（Ｓ８２）カップル証明書表示を希望する人は、操作入力部６４ｂを使い、ステップＳ８０で携帯端末装置６０に送信されたカップルＩＤを入力し、ステップＳ８３へ進む。
【０１１３】
（Ｓ８３）操作入力部６４ｂを使い表示ボタン８４を押下する。
【０１１４】
（Ｓ８４）ステップＳ８２で入力されたカップルＩＤをデータベースサーバ７０に送信する。それとともに、端末固体識別コード６５及びカップル証明書表示指示もデータベース７０に送信する。
【０１１５】
（Ｓ８５）データベースサーバ７０はこれに応答して、受信した端末固体識別コード６５及びカップルＩＤを、データベース７７１に格納されている端末固体識別コードとカップルＩＤとを参照し、一致するか否か、すなわち、正規のカップル証明書表示指示か否かを判定する。
【０１１６】
（Ｓ８６）一致すればステップＳ８８へ進み、そうでなければステップＳ８７へ進む。
【０１１７】
（Ｓ８７）ＮＧの情報を携帯端末装置６０へ送信し、カップル証明書表示指示処理を終了する。
【０１１８】
（Ｓ８８）データベースサーバ７０は、前記カップルＩＤと一致する２つのシングル情報テーブル及び、カップル情報テーブルから、カップル２人各々の氏名、個人ＩＤを抽出する。
【０１１９】
（Ｓ８９）抽出後、抽出した情報を図２２で示す証明画面の様に、前記携帯端末装置６０が有する表示装置６４ａへ表示させる。そして、該証明画面を、カップル登録した２人が、お互いに見せ合う事で、お互いの関係が、カップルである事を相互確認する事ができる。現在、携帯端末装置は日常的に使用されるようになった為、交際している恋人の携帯端末装置を目にする機会は多くあり、前記携帯端末装置の外観などから、恋人が所有している携帯端末装置であると認識する事は容易である。これにより、カップル構成員両人は、容易に安心感を得ることが出来る。
【０１２０】
図２５は、カップル登録取消受付における携帯端末装置６０とデータベースサーバ７０との連係処理を示す概略フローチャートである。
【０１２１】
カップル登録取消受付は、そのカップルのいずれか一方が登録取消処理を行うことにより有効となる。
【０１２２】
（Ｓ９０）カップル登録取消を希望する人が所有する携帯端末装置６０から、図２６で示すカップル登録取消受付ページに入室することでステップＳ９１へ進む。該カップル登録取消受付ページは、インターネット３０に接続されたデータベースサーバ７０のＷＥＢページであり、これに、送信ボタン８５とキャンセルボタン８６が貼り付けてある。カップル登録取消受付ページには、送信ボタン８５を押すと実行される、前記携帯端末装置６０が有する端末固体識別コード６５をデータベースサーバ７０に送信させるプログラムが書き込まれている。
【０１２３】
（Ｓ９１）カップル登録取消を希望する人は、操作入力部６４ｂを使い、ステップＳ８０で携帯端末装置６０に送信されたカップルＩＤを入力し、ステップＳ９２へ進む。
【０１２４】
（Ｓ９２）キャンセルボタン８６が押された場合にはステップＳ９０へ戻り、送信ボタン８５が押された場合にはステップＳ９３へ進む。
【０１２５】
（Ｓ９３）ステップＳ９１で入力されたカップルＩＤ及び端末固体識別コード６５を、カップル登録取消指示とともにデータベースサーバ７０へ送信する。
【０１２６】
（Ｓ９４）データベースサーバ７０はこれに応答して、受信した端末固体識別コード６５及びカップルＩＤを、データベース７７１に格納されている端末固体識別コードとカップルＩＤとを参照し、一致するか否か、すなわち、正規のカップル登録取消指示か否かを判定する。
【０１２７】
（Ｓ９５）一致すればステップＳ９７へ進み、そうでなければステップＳ９６へ進む。
【０１２８】
（Ｓ９６）ＮＧの情報を携帯端末装置６０へ送信し、カップル登録取消処理を終了する。
【０１２９】
（Ｓ９７）カップル登録取消受付完了情報を携帯端末装置６０へ送信する。
【０１３０】
（Ｓ９８）シングル情報テーブルに記載されたこのカップルの個人情報に基づいて、カップルが取り消されたことを示す情報を記載した電子メールを作成し、カップル構成員のそれぞれに該電子メールを送信して、確認させる。
【０１３１】
また、カップル情報テーブルの該当レコードのカップル登録取消受付日及び取消者のフィールドにその情報を記入し、この受付処理を終了する。
【０１３２】
データベースサーバ７０は毎日１回、カップル登録取消受付日から所定期間が経過したか否かを判定し、経過していれば、そのカップルＩＤに対応した全レコードをシングル情報テーブル及びカップル情報テーブルから削除するとともに、対応する図１２のＷｅｂページを削除する。
【０１３３】
インターネット３０の管理者は、この期間内に、何らかの原因でカップル登録取消処理が誤ったものであることを確認した場合には、該当レコードのカップル登録取消受付日及び取消者のフィールドに記入された情報をゼロクリアする。
【０１３４】
なお、上記端末固体識別コードとして、携帯電話番号又は固定グローバルＩＰアドレスを用いてもよい。
【図面の簡単な説明】
【０１３５】
【図１】シングル・カップル証明システムの概略ブロック図である。
【図２】シングル・カップル証明装置の概略を示す外観斜視図である。
【図３】シングル登録におけるシングル・カップル証明装置とデータベースサーバとの連係処理を示す概略フローチャートである。
【図４】スティック上部を把持して指紋センサに親指を載せるときの状態を示す図である。
【図５】シングル登録時に撮影される画像を示す図である。
【図６】シングル証明カードを示す図である。
【図７】指定の指以外で指紋を採取したときに発行されるシングル証明カードを示す図である。
【図８】個人情報テーブル説明図である。
【図９】カップル登録におけるシングル・カップル証明装置とデータベースサーバとの連係処理を示す概略フローチャートである。
【図１０】カップル登録時の個人情報テーブル及びカップル情報テーブルの説明図である。
【図１１】カップル証明カードを示す図である。
【図１２】登録されたカップルに提供されるＷｅｂページの説明図である。
【図１３】カップル登録取消受付におけるシングル・カップル証明装置とデータベースサーバとの連係処理を示す概略フローチャートである。
【図１４】シングル・カップル証明装置の第５又は第６態様と、シングル・カップル証明用データベースサーバの第３又は第４態様の構成によるシングル・カップル証明システムの概略ブロック図である。
【図１５】図１４で示す携帯端末装置とデータベースサーバとのシングル登録における連係処理を示す概略フローチャートである。
【図１６】図１５のＳ６１シングル登録申込ページ画面説明図である。
【図１７】個人情報テーブル説明図である。
【図１８】図１４で示す携帯端末装置とデータベースサーバとのカップル登録における連係処理を示す概略フローチャートである。
【図１９】図１８のＳ７０カップル登録申込受付ページ画面説明図である。
【図２０】カップル登録時のカップル登録予約情報テーブルの説明図である。
【図２１】カップル登録時の個人情報テーブル及びカップル情報テーブルの説明図である。
【図２２】図１４で示す携帯端末装置とデータベースサーバとのカップル登録受付後に表示可能となるカップル証明画面の説明図である。
【図２３】図１４で示す携帯端末装置とデータベースサーバとのカップル証明書表示における連係処理を示す概略フローチャートである。
【図２４】図２３のＳ８１カップル証明書表示受付ページ画面説明図である。
【図２５】図１４で示す携帯端末装置とデータベースサーバとのカップル登録取消受付における連係処理を示す概略フローチャートである。
【図２６】図２５のＳ９０カップル登録取消受付ページ画面説明図である。
【符号の説明】
【０１３６】
シングル・カップル証明システムの概略ブロック図である。
【０１３７】
１０  シングル・カップル証明装置
１１、２１、６１、７１  プロセッサ
１２、２２、６２、７２  記憶装置
１３、６３  入出力インターフェース
ＮＩＣ１、ＮＩＣ２、ＮＩＣ３、ＮＩＣ４  通信インターフェース
１４ａ、６４ａ  表示装置
１４ｂ、１４ｃ  指紋センサ
１４ｄ  電子カメラ
１４ｅ  十字キー
１４ｆ  決定ボタンスイッチ
１４ｇ  貨幣処理器
１４ｇ１  貨幣投入口
１４ｈ  カード発行装置
１４ｈ１  カード入出口
１４ｉ  磁気カードリーダ・ライタ
１４１、１４２  スティック
１５  シングル証明カード
１５１  磁気記録膜
１６、１７  カップル証明カード
２０、７０  データベースサーバ
２２１、７７１  データベース
３０  インターネット
４０  クライアント
５０  携帯端末
６０  端末
６４ｂ  操作入力部
６５  端末固体識別コード
８０、８２、８５  送信ボタン
８１、８３、８６  キャンセルボタン
８４  表示ボタン
【図１】
0004710695.tif 000002
【図２】
0004710695.tif 000003
【図３】
0004710695.tif 000004
【図４】
0004710695.tif 000005
【図５】
0004710695.tif 000006
【図６】
0004710695.tif 000007
【図７】
0004710695.tif 000008
【図８】
0004710695.tif 000009
【図９】
0004710695.tif 000010
【図１０】
0004710695.tif 000011
【図１１】
0004710695.tif 000012
【図１２】
0004710695.tif 000013
【図１３】
0004710695.tif 000014
【図１４】
0004710695.tif 000015
【図１５】
0004710695.tif 000016
【図１６】
0004710695.tif 000017
【図１７】
0004710695.tif 000018
【図１８】
0004710695.tif 000019
【図１９】
0004710695.tif 000020
【図２０】
0004710695.tif 000021
【図２１】
0004710695.tif 000022
【図２２】
0004710695.tif 000023
【図２３】
0004710695.tif 000024
【図２４】
0004710695.tif 000025
【図２５】
0004710695.tif 000026
【図２６】
0004710695.tif 000027